(57)【要約】本発明は、フィルターインサート要素を備え、このフィルターインサート要素が、吸湿性の顆粒物質で充填されたケーシングとして形成され、かつシリンダー内に配置されている除湿機に関する。顆粒物質を再生するために、加熱手段が設けられている。目標とする結露と加熱された湿分の流出を確実に行うために、シリンダーの底部は、特に漏斗状の輪郭部を備え、かつ良好な比熱伝導率を有する材料で製造されている。
2006522471.tif 000002
【特許請求の範囲】
【請求項１】
シリンダー（３）と、シリンダー（３）の内側に設けられ、吸湿性の顆粒物質（９）で充填された通気性のあるケーシング（８）と、ケーシング（８）の内側の電気的加熱部材（１０）と、ケーシング（８）の外壁とシリンダー（３）の内壁との間の空域内に設けられた湿度センサー（２９）とを備え、
前記シリンダーが、上方では蓋（４）により、下方では底部（１）により閉鎖されており、
前記ケーシング（８）の外壁とシリンダー（３）の内壁との間には、空気がケーシング（８）内の顆粒物質（９）を貫流した後、吸込まれる空気により充填される空域が設けられており、
前記湿度センサーにより、測定された空気の湿度の限界値を超えた場合、加熱部材（１０）が作動可能である様式の、
油膨張容器内に吸込まれる空気を除湿するための、油絶縁変圧器、チョークコイルならびにタップ切換装置用の除湿機において、
金属あるいは他の材料でできた底部（１）が、良好な比熱伝導率を有しており、この底部の内側輪郭部（１．１）が漏斗状に形成されていること、および
漏斗状の内側輪郭部（１．１）が、丸みを付された部分（１．４）を備えていることを特徴とする除湿機。
【請求項２】
シリンダー（３）が、底部（１）に比べて、比熱伝導率が悪い材料でできていることを特徴とする請求項１記載の除湿機。
【請求項３】
底部（１）内の最深位置の中心に、ネジ接続部（３２）が透水性の篩いインサート（３３）を備えていることを特徴とする請求項１または２記載の除湿機。
【請求項４】
篩いインサート（３３）要素が、焼結銅でできていることを特徴とする請求項３記載の除湿機。
【請求項５】
下方からアクセスし易く、ネジ接続部（３２）の周囲を取囲んでいる環状の切欠き部（３４）内に、別の加熱部材（３６）が設けられていることを特徴とする請求項３または４に記載の除湿機。
【請求項６】
別の加熱部材（３６）が、電気的抵抗加熱部材であり、この抵抗加熱部材の電気的接続ケーブル（３７）が、半径方向で底部（１）内にネジ止めされたケーブルネジ止め部（３８）を介して案内されていることを特徴とする請求項５記載の除湿機。
【請求項７】
加熱部材（３６）が、少なくとも一つの絶縁ディスク（４８，４９）を介して、底部（１）に対して熱的に結合解除していることを特徴とする請求項５または６に記載の除湿機。
【請求項８】
切欠き部（３４）が、ネジ（４２，４３）を用いて底部（１）に固定されている、底部フランジ（３９）および／またはカバーフランジ（４０）により下方へ向かって閉鎖されていることを特徴とする請求項５〜７のいずれか一つに記載の除湿機。
【発明の詳細な説明】
【技術分野】
【０００１】
本発明は、油絶縁変圧器、チョークコイルあるいはタップ切換器における所属品として、油膨張容器内に吸込まれる空気を除湿するのに使用されるような、除湿機に関する。
【背景技術】
【０００２】
このような除湿機は、特許文献１からすでに知られている。この除湿機は、二つの同一に構成されたフィルター室を有しており、このフィルター室は、各々吸湿性材料で充填されている。オイルパンを備えた釣鐘状配設部を介して下方から、吸込まれた空気が、両フィルター室の少なくとも一つを通って流れ、そこで吸湿性材料を通過し、その際乾燥しかつ上方へ向かい除湿機から出る。付加的に両フィルター室の各々には、電気的加熱装置が設けられている。フィルター室の各々における吸湿性材料の湿気吸収容量が限界に達すると、対応する加熱装置が起動し、それにより吸湿性材料は乾燥し、そして再生する。加熱された湿分を流出させるために、各フィルター室の上方領域内には、流出開口部が設けられている。
【０００３】
特許文献２には、さらに発展した除湿機が提案されている。この場合、空気が吸湿性材料で充填された本来のフィルーインサートを通過した後、乾燥した空気流の中に、湿度センサーが設けられており、この湿度センサーにより、状態に依存してフィルターインサートの内側の加熱部材が作動する。その際、湿度センサーは、すでに乾燥しているべきその周囲を流れる空気の湿気状態を検出する。湿度センサーが、この吸込まれた空気の中の湿度が限界値を超えるという信号を送ると、従って湿度が高すぎると、吸湿性材料は飽和しており、もうそれ以上の湿気は吸収できないし、もうそれ以上乾燥する必要もないことがわかる。次いで加熱装置の電気回路の切換え手段により、好ましくは抵抗加熱部材が、フィルターインサートの内側で閉鎖される。続いて、吸湿性材料は熱せられ、それにより乾燥する。言い換えるとそれまで付きまとっていた水は下方外側に滴下しなければならない。
【０００４】
しかしながら、運転中の公知の除湿機にあって、加熱された流体は、加熱装置の上方に設けられた出口開口部を通って除去できるわけでも、完全に下方に滴下するわけでもないことだけはわかった。むしろこの加熱された液体の一部は、フィルター室の円筒側壁あるいは除湿機のケーシング壁に、細かい滴の形で結露する。その表面張力に依存するこれらの細かい水滴は、そこにくっついていて除去できない。このことは望ましくない。なぜなら、時間のたつ内に、それにより内壁領域内の湿分濃度（Feuchtigkeitskonzentration）は常に上昇するからである。それにより、記載された湿度センサーにより、乾燥媒体の周囲を取囲む空気の湿度の実際の値として算出された、この媒体の状態を決定するための値も正しくはない。
【特許文献１】特開昭６０−第１９８７１０号明細書
【特許文献２】欧州特許公開公報第１３１３１１２号明細書
【発明の開示】
【発明が解決しようとする課題】
【０００５】
従って本発明の課題は、記載された従来技術の短所を取り除き、かつ独自の手段により、吸湿性がありかつ再生可能なフィルター材料から成る加熱器具を操作することにより加熱された流体が、実際にフィルター部材を通って流出することを保証する公知の様式の除湿機を提案することである。
【課題を解決するための手段】
【０００６】
上記課題は、請求項１の特徴を備えた除湿機によりにより解決される。従属請求項は，特に本発明の他の有利な実施形態に関する。
【０００７】
本発明の主たる長所は、本発明による独特の底部の形態により、フィルター部材の内部において、一定に露点を下回ることが局所的に限定されていることが達せられることにある。それにより、加熱された流体の適切な結露はこの底部において行われ、そこで結露は規定され、局所的に限定されかつ結露した流体は、そこから確実に流出する。
【発明を実施するための最良の形態】
【０００８】
本発明の実施例を図を用いて詳しく説明する。
【実施例】
【０００９】
十分な理解を得るために、図１を用いて、除湿機の全体構成を詳しく説明する。この除湿機は底部１を備え、この底部内には、その上にシリンダ３が置かれた環状封止部材２が挿入されている。上方ではシリンダ３が蓋４により閉鎖される。ここにおいても封止のために再度環状封止部材５が設けられている。固定するために、垂直なスタッドボルト６は、底部１の外側にネジで固定された下側のナール付ナット６．１を備えている。上方には、ネジ７が固定手段として設けられている。シリンダ３内の中央には、通気性のケーシング８が配置されている。ケーシング８は吸湿性材料としての再生可能な顆粒物質９、ならびに加熱部材１０を収容しており、この加熱部材の加熱要素は顆粒物質９内に配置されている。言い換えれば顆粒物質により取囲まれている。顆粒物質９はわかり易くするためにここでは詳しく示していない。蓋４の上方には、電磁弁１２が設けられ、この電磁弁１２の上方には下側フランジ１３が配置され、この下側フランジには上側フランジ１４が固定されている。上側フランジ１４と蓋１５の間には、別のケーシング１６が設けられている。下側フランジ１３と上側フランジ１４は、アイボルト１７と蝶ナット１８により互いに接続している。上側ケーシング１６は別個に形成された内壁１９を備え、この内壁はケーシング１６の内側に固定され、下方に開いた釣鐘状体２０により既知の油受け器２１を形成する。油受け器２１の容積は、チューリップ状に形成された内壁１９により区画されている。下側フランジ１３と上側フランジ１４の間には別の環状封止部材２２が配置され、上側フランジ１４とケーシング１６の間には環状封止部材２３が配置されており、そしてケーシング１６と蓋１５の間には、やはり環状封止部材２４が配置されている。蓋１５の上方には管フランジ２５が設けられている。この場合固定はやはりアイボルト２６と蝶ナット２７により行われる。側方には、スイッチケース２８が設けられており、電気的接続部と接続ケーブル類を収容する。さらに、シリンダ３の内側側方には、空気流の領域内に湿度センサー２９が設けられている。この湿度センサー２９は、先にすでに説明したように、センサーの周囲を流れる空気の湿気の状態を検出する。検出された湿度の値が予め調節された限界値を越えた場合、このことは、顆粒物質９は少なくとも十分に飽和しており、もはやそれ以上の湿分は収容せず、乾燥させねばならないということである。このような場合、スイッチケース２８では、図示していない開閉手段により、加熱部材１０の電気回路は閉鎖される。同時に、電磁弁１２も同じように閉鎖される。今度は加熱部材１０により顆粒物質９が暖められ、従って乾燥する。わかりやすいように、ネジ止め部３０を介してスイッチケーシング２８までつながっている、加熱部材１０からの電気的接続ケーブル類だけでなく湿度センサー２９からの電気的接続ケーブル類もここでは図示していない。最後に、スイッチケース２８は、同様に図示していない電気的接続ケーブル類と電源供給部とを接続するための、別のネジ止め部３１を備えている。
【００１０】
本発明による底部１を上手に説明できるように、図２は除湿機の下側部分を部分的に示している。底部１は金属製であり、比較的厚く、良好かつ特有の熱伝導を有する。内側輪郭部１．１は漏斗状に形成されている。言い換えると中央部における漏斗状部最深位置には、開口部１．２が設けられている。この開口部１．２を通って、吸込まれかつさらに乾燥されるべき空気は、シリンダ３内に達し、その後引き続いて通気性のあるケーシング８内に達する。このケーシング内において、空気は顆粒物質９を通過して乾燥する。同じ開口部１．２を通って、内側輪郭部１．１で結露している加熱された流体が、下方へ流出する。良好かつ特有の熱伝導を有し、説明した漏斗状の内側輪郭部１．１を備えた底部１のこの実施形態により、局所的に限定された、加熱された湿分の一定の結露が達せられ、それにより本発明の課題は解決される。
【００１１】
記載された作用をバックアップするためには、比熱伝動率が悪い材料からできたシリンダー３を製造するのが有利である。
【００１２】
本発明のその他の特徴によれば、内側輪郭部１．１には下側の丸みを付された部分１．４が設けられており、それにより内側輪郭部１．１全体における角張った移行部は回避される。これにより、そこで結露された流体の所望の完全な流出が促進される。最後に、図２においてさらにネジ止め部３２が示してあり、このネジ止め部は開口部１．２において下方に向けられて設けられており、かつこれに関しては以下に詳しく説明する。
【００１３】
図３〜６には本発明による別の底部１だけを示してある。この底部１は、以下に詳しく説明される個別の詳細事項を有する。
【００１４】
ネジ止め部３２はここでは篩いインサート要素３３を備えている。このような篩いインサート要素３３により、ごみの粒子あるいは異物が、吸込まれた空気によってか他の方法で除湿機内に達することはまずない。篩いインサート要素３３は例えば焼結銅から製造されていてもよく、それにより記載されたフィルター作用以外にも、付加的な騒音減衰作用が得られる。
【００１５】
一般に、このような篩いインサート要素３３により、十分暖められた流体が下方へ滴下することは阻害されない。しかしながら、一定の気候上の環境下において、低温の場合、この領域の凍結の危険は存在する。従って多くの場合、本発明による除湿機の底部１を付加的に加熱することは有利である。そのために底部１には環状の切欠き３４が設けられており、この切欠きから半径方向のネジ穴３５が外側へ通じている。切欠き３４には電気的加熱部材３６が設けられている。これに関しては電気的抵抗加熱部材が使用可能であると特に有利である。加熱部材３６の電気的接続ケーブル３７は、ネジ穴３５とその中にネジ止めされたケーブルネジ止め部３８とを介して外側へ通じている。記載したように加熱部材３６を収容する切欠き３４は、底部フランジ３９により下方へ向かって閉鎖されている。カバーフランジ４０は下方への接続部を形成しており、このカバーフランジは、ネジ止め部３２の周囲を取囲みかつネジ止め部を保護する、中央のフランジ状のダストカバー４１を備えている。カバーフランジ４０の固定は、底部１のネジ山４４，４５内にネジ込まれるネジ４２，４３により行われる。さらに、底部１は垂直な貫通孔４６，４７を備え、この貫通孔は図示していないスタッドボルトを収容するのに役立つ。さらにこのスタッドボルトは図１と関連した前述の箇所でも、詳しく説明してあり、そこでは参照符号６を有している。
【００１６】
最後に、実際にただ所望の通りに、ネジ止め部３２の周囲を加熱することを確実に行うために、多くの場合、電気的加熱部材３６により底部１の加熱を熱的に結合遮断することが有効である。言い換えると、電気的な加熱部材３６は、実際に凍結の危険が存在するところだけに作用するものでなければならない。この熱的結合を実現するために、第一絶縁ディスク４８が、底部１と、電気的加熱部材３６と、底部フランジ３９との間に設けられ、ならびに第二絶縁ディスク４９が、底部１と底部フランジ３９との間に設けられている。絶縁ディスク４８，４９は、例えばテフロンから成り、かつ同時に本発明による除湿機のその他の部分の加熱を防ぐ。
【図面の簡単な説明】
【００１７】
【図１】本発明による完全な除湿機の側面の概略的断面図である。
【図２】ただ本発明による底部分を備えた部分的下方領域である。
【図３】本発明によるさらに発展した別の除湿機の底部分の下方からの平面図である。
【図４】図３に示した底部分の様々な側面の断面図である。
【図５】図３に示した底部分の様々な側面の断面図である。
【図６】図３に示した底部分の様々な側面の断面図である。
【符号の説明】
【００１８】
１        底部
１．１    内側輪郭部
１．４    丸みを付された部分
３        シリンダー
４        蓋
８        ケーシング
９        顆粒物質
１０     加熱装置
２９     湿度センサー
３２      ネジ止め部
３３      篩いインサート要素
３４      切欠き部
３６      加熱部材
３７      接続ケーブル
３８      ケーブルネジ止め部
３９      底部フランジ
４０      カバーフランジ
４２      ネジ
４３      ネジ
４８      絶縁ディスク
４９      絶縁ディスク
【図１】
2006522471.tif 000003
【図２】
2006522471.tif 000004
【図３】
2006522471.tif 000005
【図４】
2006522471.tif 000006
【図５】
2006522471.tif 000007
【図６】
2006522471.tif 000008
【国際調査報告】
2006522471.tif 000009
2006522471.tif 000010
2006522471.tif 000011
2006522471.tif 000012
2006522471.tif 000013
2006522471.tif 000014